(57)【要約】【課題】本発明は、新たな工事を必要とせず、誤報や誤動作が生じることがない上に、生活環境を変えることなく、しかもコストのかからない生活モニター装置を提供すること。【解決手段】サンプリング時間毎に被測定流体中へ音波を送信または受信する送受信器６ａ，６ｂと、前記送受信器間の送受信を複数回行う繰り返し手段１１と、前記繰り返し手段により計測された音波伝搬時間を計測する計時手段１４と、前記計時手段の音波伝搬時間の値からガス流量を算出する瞬時流量演算手段１７と、前記瞬時流量演算手段によって計測した流量データからガス器具の操作状況を管理する機器管理手段１９と、前記機器管理手段の監視情報を通報する通信手段２０をガスメーターに搭載したもので、ガスメーターの流量計測値から生活に伴うガス器具の操作状況を把握することによって、生活者の異変を察知する。【選択図】図１
2008014805.tif 000002
【特許請求の範囲】
【請求項１】
計測サンプリング時間毎に被測定流体中へ音波を送信または受信する送受信器と、前記送受信器間の送受信を複数回行う繰り返し手段と、前記繰り返し手段により計測された音波伝搬時間を計測する計時手段と、前記計時手段の音波伝搬時間の値からガス流量を算出する瞬時流量演算手段と、前記瞬時流量演算手段によって計測した流量データからガス器具の操作状況を管理する機器管理手段と、前記機器管理手段の監視情報を通報する通信手段を備えたガス流量監視モニター装置。
【請求項２】
機器管理手段は、瞬時流量計測手段による流量データから、流量発生開始時刻、停止時刻、ガス流量値、流量発生回数など日毎の情報を保存する流量情報記憶部と、流量監視部を設け、流量発生回数が予め設定された回数以下になった場合は通信手段によって通報するようにした請求項１に記載のガス流量監視モニター装置。
【請求項３】
通信手段は機器管理手段の動作許可、停止の選択設定と、監視センター、及び家族や親戚等、許可された者からのアクセスを可能とするようにした請求項１に記載のガス流量監視モニター装置。
【発明の詳細な説明】
【技術分野】
【０００１】
本発明は、ガスメーターなどの瞬時流量計測値からガス器具の操作状況を管理し、特に、一人暮らしの老人や身体障害者等の安否を遠隔監視可能としたガス流量監視モニター装置に関するものである。
【背景技術】
【０００２】
従来、この種のガス流量監視モニター装置は、電気機器の操作情報から人の行動を検知することによって安否を確認するようにしている（例えば、特許文献１参照）。
【０００３】
図３は、特許文献１に記載された従来の生活モニター装置を示すものである。図３に示すように、室内１に配置した電気製品である電気ポット２ａや炊飯ジャー２Ｂと、前記電気製品を操作したときに発する電子音を受信する受信手段３と、該受信手段によって検知した電気製品の操作情報を集中管理手段４に接続するように構成され、通信回線によって監視センター等と送信するようになっている。
【特許文献１】特開平１１−２７７５７号公報
【発明の開示】
【発明が解決しようとする課題】
【０００４】
しかしながら、前記従来の構成では、電気製品を操作したときの操作音を検知する検知器を室内に設置する工事が必要で、様々な音を発する電気製品の操作音を登録する必要があること、また誤検知の恐れがあるという課題を有していた。
【０００５】
本発明は、前記従来の課題を解決するもので、新たな工事を必要とせず、誤報や誤動作が生じることがない上に、生活環境を変えることなく、しかもコストのかからないガス流量監視モニター装置を提供することを目的とする。
【課題を解決するための手段】
【０００６】
前記従来の課題を解決するために、本発明のガス流量監視モニター装置は、計測サンプリング時間毎に被測定流体中へ音波を送信または受信する送受信器と、前記送受信器間の送受信を複数回行う繰り返し手段と、前記繰り返し手段により計測された音波伝搬時間を計測する計時手段と、前記計時手段の音波伝搬時間の値からガス流量を算出する瞬時流量演算手段と、前記瞬時流量演算手段によって計測した流量データからガス器具の操作状況を管理する機器管理手段と、前記機器管理手段の監視情報を通報する通信手段をガスメーターに搭載したものである。
【０００７】
これによって、ガス器具の使用実態をガス流量で検知するため新たな工事を必要とせず、しかも誤動作が生じることもなく、生活環境を変えることなく、ガス器具の使用状況で生活状態を確認することが可能となる。
【発明の効果】
【０００８】
本発明のガス流量監視モニター装置は、ガスメーターの流量計測値から生活に伴うガス器具の操作状況を把握することによって、普段と変わらない生活の異変を察知することができ、特に、一人暮らしの老人や身体障害者等の安否を遠隔で確認することができる。
【発明を実施するための最良の形態】
【０００９】
第１の発明は超音波伝搬時間の値からガス流量を算出する瞬時流量演算手段と、前記瞬時流量演算手段によって計測した流量データからガス器具の操作状況を管理する機器管理
手段と、前記機器管理手段の監視情報を外部伝達する通信手段を備えることにより、ガス流量値から日々のガス器具使用実態を検知して生活状況を遠隔で確認することができる。
【００１０】
また瞬時流量計測方式により通信手段を介して、リアルタイムで状況を確認することができる特長を有している。
【００１１】
第２の発明は、特に第１の発明の機器管理手段に、流量発生開始時刻、停止時刻、ガス流量値、流量発生回数など日毎の情報を保存する流量情報記憶部と、流量監視部を設け、流量発生回数が予め設定された回数以下になった場合は通信手段によって通報することができる。
【００１２】
第３の発明は、機器管理手段の機能を使用するか否かの選択を通信手段によって設定することにより、ガスメーターを特化することなく自由に設置することができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態におけるガス流量監視モニター装置のブロック構成図である。
【００１５】
図１において、ガスメーター（図示せず）の流体管路５の途中に超音波を発信する第１送受信器６ａと超音波を受信する第２送受信器６ｂが流れ方向に対向して配置されている。７は第１送受信器６ａへの発信回路、８は第２送受信器６ｂで受信した信号の増幅回路で、この増幅された信号は基準信号と比較回路９で比較され、基準信号以上の信号が検出されたとき繰り返し回数設定手段１０で設定された回数を遅延回路１２で信号を遅延させた後、トリガ回路１３で超音波信号を繰り返し発信する。
【００１６】
繰り返し回数設定手段１０で設定された回数が繰り返されたときの時間を計時用クロックのパルスでカウントする計時手段１４で求め、マイクロコンピュータ１８に内蔵されている記憶手段１５に値を記憶させる。このようにして第１送受信器６ａからの送信に対して、第２送受信器６ｂでの受信、すなわち上流から下流（以下、上流送信という）への超音波送信が終了すると次に切換手段１６で第１送受信器６ａと第２送受信器６ｂの発信受信を切り換えて、第２送受信器６ｂから第１送受信器６ａへ、すなわち下流から上流（以下、下流送信という）に向かって超音波信号を発信し、この発信を前述のように繰り返し、その超音波伝播時間を計時する。
【００１７】
そしてその時間差から管路の大きさや流れの状態を考慮してマイクロコンピュータ１８に内蔵した瞬時流量演算手段１７で瞬時流量値を求める。同じくマイクロコンピュータ１８内の１９は瞬時流量値を時系列的に管理する機器管理手段で、瞬時流量値から、流量の発生開始時刻、停止時刻、ガス流量値の情報を保存する流量情報記憶部１９ａと、ガス器具の使用状況を判定する流量監視部１９ｂを設け、前記流量監視部１９ｂの判定情報を通信手段２０によって通報するように構成している。２１はガスメーターとしての指針値表示器である。
【００１８】
以上のように構成されたガス流量監視モニター装置について、以下その動作、作用を説明する。
【００１９】
図２は流量変化を表した代表例図で、横軸に時刻、縦軸に流量値を示している。日々の暮らしの中で発生する流量情報は生活パターンに応じてガス器具を使用する時間帯に表れ
る。これらのデータは流量情報記憶部１９ａに保存される。
【００２０】
まず、流量監視部１９ｂは、流量情報記憶部１９ａに保存した流量データから流量発生回数を求め、通信手段で予め設定された回数に満たなかった場合はガス器具が操作されていないと判断し通信手段２０を介して発報することにより生活者の異変を報知する。
【００２１】
流量情報記憶部１９ａには流量発生時刻が記憶されているため、指定の時刻で監視することも可能で季節に応じた判定を行うこともできる。またガス器具は多種多様であることから特定の流量値、たとえばガステーブルに的を絞って操作状態を判定してもよく、その場合は火力を可変している状況を瞬時計測値で判定することも可能で、生活者が正常な動作を行っている証を得ることができる。
【００２２】
以上のように、本実施の形態においてはガスメーターに機器管理手段を搭載することによりガス流量値から日々のガス器具使用実態を検知して生活状況を遠隔で確認することができる。
【産業上の利用可能性】
【００２３】
以上のように、本発明にかかるガス流量監視モニター装置は、ガス流量値から日々のガス器具使用実態を検知して生活状況を確認することができるので、水道メーター等の用途にも適用できる。
【図面の簡単な説明】
【００２４】
【図１】本発明の実施の形態１におけるガス流量監視モニター装置のブロック構成図
【図２】本発明の実施の形態１における流量変化を表した代表例図
【図３】従来の生活モニター装置のシステム図
【符号の説明】
【００２５】
６ａ、６ｂ  送受信器
１１  繰り返し手段
１４  計時手段
１７  瞬時流量演算手段
１９  機器管理手段
２０  通信手段
【図１】
2008014805.tif 000003
【図２】
2008014805.tif 000004
【図３】
2008014805.tif 000005